(57)【要約】【課題】厨房などの熱源から発生する熱気を拡散させずに効率的に排気可能であり、かつ、熱気流による損耗を緩和した排気フードを提供する。【解決手段】給気部からの外気の噴出方向を真下方向からフード内下側方向に連続的に変化させることにより、フード下方に山形に広がる外気の蓋が形成され、熱気の拡散防止と上昇流の緩和を同時に行うことが可能となる。【選択図】図１
2010071492.tif 000002
【特許請求の範囲】
【請求項１】
室内に設けられた熱気発生源に対して開口するように設けられる排気フードであって、
前記熱気発生源の上方に配置され、前記室内の空気を吸引し室外に排出する略箱型又は略筒型の排気部と、
前記排気部の周りを包囲するように配置され、室外から供給される外気を前記室内に供給する給気部とを有しており、
前記給気部はその下端近傍において、外気の噴出方向を、前記給気部の真下方向からフード内側方向に連続的に変化させながら外気を噴出する第１の外気噴出手段を有していることを特徴とする排気フード。
【請求項２】
前記給気部はその下端近傍で、かつ、前記給気部の第１の外気噴出手段よりもフード外側方向に離隔した位置において、外気を略真下方向又はフード内側方向に噴出する第２の外気噴出手段を有していることを特徴とする請求項１に記載の排気フード。
【請求項３】
前記給気部の下端近傍のフード内側に面する部分に長尺状の開口部を有しており、
前記第１の外気噴出手段は、略円筒形状の本体部と、前記本体部の軸方向に沿って形成された１又は２以上のスリットとからなる回転ノズルであり、
前記第１の外気噴出手段は、その軸が前記開口部の長尺方向に沿うようにして、その一部が前記開口部から給気部外に露出するようにして配置されており、
前記回転ノズルである第１の外気噴出手段が回転しながら外気を噴出することにより、前記開口部を通じて一部のスリットから給気部外に外気が噴射されるようになっていることを特徴とする請求項１又は２に記載の排気フード。
【請求項４】
前記給気部に供給された外気の気流によって回転される風車部材を有しており、当該風車部材の回転動力により前記回転ノズルを回転駆動可能であることを特徴とする請求項３に記載の排気フード。
【請求項５】
前記風車部材の回転動力により発電を行う発電装置を有しており、当該発電装置により発電した電力を用いて前記回転ノズルを回転駆動可能であることを特徴とする請求項４に記載の排気フード。
【請求項６】
室内に設けられた熱気発生源から発生する熱気を排気する方法であって、
前記熱気発生源の上方に配置され、前記室内の空気を吸引し室外に排出する略箱型又は略筒型の排気部と、
前記排気部の周りを包囲するように配置され、室外から供給される外気を前記室内に供給する給気部とを配置し、
前記排気部により、前記排気部の下方の熱気を吸引し排気するとともに、
前記給気部により、前記給気部の下端近傍から、前記給気部の真下方向からフード内側方向に連続的に噴出方向を変化させながら外気を噴出することにより、室内外の空気を排気する排気方法。
【発明の詳細な説明】
【技術分野】
【０００１】
本発明は、厨房などの天井に設置される排気装置に関し、特に、厨房などの熱源で発生する熱気を周囲に拡散させること無く、効率よく吸引することが可能な排気フードに関するものである。
【背景技術】
【０００２】
厨房のレンジ調理器の上方（天井）に設置される従来の排気フードを図７に例示する。この排気フード５０は、厨房５１においてレンジ調理器５２の上方の天井５３に設置されている。排気フード５０は、内部にフィルタ５９を有する排気部５４と、排気部５４を外側から覆うように形成された給気部５５とを有している。排気部５４及び給気部５５は、それぞれ、排気ダクト５６及び給気ダクト５７に接続されている。排気フード５０下部においては、排気部５４の開口部外周縁と給気部５５の開口部内周縁との間に、環状隙間５８が設けられており、この環状隙間５８を通じて給気部５５の内部空間と厨房５１の空間とが連通している。
【０００３】
厨房５１外部の空気（以下、「外気」という）は、給気ダクト５７を通じて給気部５５内に流入し、環状隙間５８を通じて厨房５１内に流入する。これにより、レンジ調理器５２の上方に外気からなる環状の空気層Ｙが形成される。レンジ調理器５２から発生する熱気Ｘは次第に上昇し、環状の空気層Ｙの環内部を通って排気部５４に達し、排気ダクト５６に排出される。このとき、排気フード５０の上方領域では、熱気Ｘが環状の空気層Ｙの存在により厨房５１内に拡散されることなく、排気部５４に吸い上げられるので、厨房５１内と外部との間の換気が効率よく行われる。
【０００４】
特許文献１には、上記と同様の構成を有する従来の排気フードが開示されている。
【特許文献１】特開平１１−６３６１０号公報（図７等）
【発明の開示】
【発明が解決しようとする課題】
【０００５】
しかしながら、図７に示す従来の排気フードにおいては、環状隙間５８を通じて厨房５１内に下向きに流入する外気が、これに対向して上昇してくる熱気Ｘによって流入速度が減速され、やがて矢印Ｚに示すように熱気Ｘに巻き込まれて排気フード５０の方向に流れることとなる。一方で、排気フード５０の下方領域、すなわちレンジ調理器５２に近い領域では、環状の空気層Ｙが形成されておらず、レンジ調理器５２から発生する熱気Ｘの一部が厨房５１内に拡散してしまうという問題点があった。
【０００６】
また、熱気Ｘとその周辺空気との温度差が大きいほど熱気Ｘの上昇速度は大きくなるが、激しい熱気Ｘが上昇して排気フード５０に衝突することにより、排気フード５０の損耗が激しくなるという問題点があるが、図７に示す従来の排気フードにおいては、その対策は何ら取られていなかった。さらには、排気フードによる排気が十分でないために熱気が滞留し引火して大規模な火災に発展する事故も発生しており、上記問題点に対する対策は極めて重要課題である。
【０００７】
本発明は、このような実情に鑑みてなされたものであり、厨房などの熱源から発生する熱気を拡散させずに効率的に排気可能であり、かつ、熱気流による損耗を緩和した排気フードを提供しようとするものである。
【課題を解決するための手段】
【０００８】
上記解決課題に鑑みて鋭意研究の結果、本発明者は、給気部からの外気の噴出方向を真下方向からフード内下側方向に連続的に変化させることにより、フード下方に山形に広がる外気の蓋が形成され、熱気の拡散防止と上昇流の緩和を同時に行えることに想到した。
【０００９】
すなわち、本発明は、室内に設けられた熱気発生源に対して開口するように設けられる排気フードであって、前記熱気発生源の上方に配置され、前記室内の空気を吸引し室外に排出する略箱型又は略筒型の排気部と、前記排気部の周りを包囲するように配置され、室外から供給される外気を前記室内に供給する給気部とを有しており、前記給気部はその下端近傍において、外気の噴出方向を、前記給気部の真下方向からフード内側方向に連続的に変化させながら外気を噴出する第１の外気噴出手段を有していることを特徴とする排気フードを提供するものである。
【００１０】
本発明の排気フードにおいて、前記給気部はその下端近傍で、かつ、前記給気部の第１の外気噴出手段よりもフード外側方向に離隔した位置において、外気を略真下方向又はフード内側方向に噴出する第２の外気噴出手段を有していることを特徴とする。
【００１１】
これにより、第１の外気噴出手段の外側に上下に延びる空気の壁を形成し、熱気発生源からの熱気が拡散するのを防止することができる。
【００１２】
本発明の排気フードにおいて、前記給気部の下端近傍のフード内側に面する部分に長尺状の開口部を有しており、前記第１の外気噴出手段は、略円筒形状の本体部と、前記本体部の軸方向に沿って形成された１又は２以上のスリットとからなる回転ノズルであり、前記第１の外気噴出手段は、その軸が前記開口部の長尺方向に沿うようにして、その一部が前記開口部から給気部外に露出するようにして配置されており、前記回転ノズルである第１の外気噴出手段が回転しながら外気を噴出することにより、前記開口部を通じて一部のスリットから給気部外に外気が噴射されるようになっていることを特徴とする。
【００１３】
このように、外気の噴出方向を、前記給気部の真下方向からフード内側方向に連続的に変化させながら外気を噴出する動作を簡易な構成で実現できる。
【００１４】
本発明の排気フードは、前記給気部に供給された外気の気流によって回転される風車部材を設け、当該風車部材の回転動力により前記回転ノズルを回転駆動させる構成とすることで省電力化が可能である。あるいは、前記風車部材の回転動力により発電を行う発電装置を設け、当該発電装置により発電した電力を用いて前記回転ノズルを回転駆動させる構成としても省電力化が可能である。
【００１５】
本発明は、また、室内に設けられた熱気発生源から発生する熱気を排気する方法であって、前記熱気発生源の上方に配置され、前記室内の空気を吸引し室外に排出する略箱型又は略筒型の排気部と、前記排気部の周りを包囲するように配置され、室外から供給される外気を前記室内に供給する給気部とを配置し、前記排気部により、前記排気部の下方の熱気を吸引し排気するとともに、前記給気部により、前記給気部の下端近傍から、前記給気部の真下方向からフード内側方向に連続的に噴出方向を変化させながら外気を噴出することにより室内外の空気を排気する排気方法を提供するものである。
【発明の効果】
【００１６】
以上、説明したように、本発明の排気フードによれば、外気噴出部から供給される外気の噴出方向が真下方向からフード内下側方向に連続的に変化することにより、フード下方に山形に広がる外気の蓋が形成された状態となり、この外気の蓋により熱気が拡散防止されるとともに、排気フード内部及び排気フード真下の領域における空気温度が均一化され、排気フードを通過する熱気流の勢いが緩和されることとなる。
【００１７】
すなわち、本発明の排気フードは、厨房などにおいて熱源から発生する熱気を拡散させることなく効率的に排気可能であり、かつ、熱気流による排気フードの損耗が低減された点において従来の排気フードに比して優れたものである。
【発明を実施するための最良の形態】
【００１８】
以下、添付図面を参照しながら、本発明の排気フードを実施するための最良の形態を詳細に説明する。図１〜図６は、本発明の実施の形態を例示する図であり、これらの図において、同一の符号を付した部分は同一物を表わし、基本的な構成及び動作は同様であるものとする。
【００１９】
[第１実施形態]
【００２０】
図１は、本発明の排気フードの第１実施形態を示す図である。
【００２１】
図１において、厨房１には、熱気発生源である熱調理器具２が設けられている。厨房１の天井３には、箱型形状の排気フード４が設けられており、排気フード４は、熱調理器具２に対して開口するように配置されている。排気フード４の中央部には、排気部であるグリースフィルタ５が設けられている。グリースフィルタ５には、排気ダクト６の一端が天井３を貫通するように接続されている。排気ダクト６は、天井裏７を延びて、厨房１の外部に設けられた排気ファン８に他端が接続されている。すなわち、グリースフィルタ５は、排気ダクト６及び排気ファン８を介して厨房１の外部に連通している。また、排気フード４には、４つの給気部９（図１には２つのみ図示している）がグリースフィルタ５の四方周囲に設けられている。各給気部９には、天井を貫通するように給気枝管１０の一端が接続されており、各給気枝管１０の他端は、給気ダクト１１に接続されている。給気ダクト１１は、天井裏７を延びて、厨房１の外部に設けられた外気処理空調機１２に他端が接続されている。すなわち、各給気部９は、給気枝管１０と、給気ダクト１１と、外気処理空調機１２とを介して厨房１の外部に連通している。
【００２２】
給気部９の下端の内部には、外気噴出部である回転ノズル１４が設けられている。また、給気部９の下端には、回転ノズル１４よりも外側に、下端に沿って開口下端部１６が形成されている。給気部９の側面には、パンチングにより形成された複数の穴からなる開口部１７が設けられている。
【００２３】
図２は、図１に示す排気フード４の回転ノズル１４の構成を示す図である。
【００２４】
図２（ａ）に示すように、回転ノズル１４は、円筒形状の本体部１５を有しており、本体部１５の周外面１５ａには、本体部１５の軸方向に沿って延びる細長いスリット１８ａが形成されている。尚、本体部１５の両端はとじている。
【００２５】
図２（ｂ）に示すように、回転ノズル１４の本体部１５には、本体部１５の周方向に沿って等間隔で３つのスリット１８ａ、１８ｂ、１８ｃが形成されている。
【００２６】
図３は、図１に示す排気フード４の給気部９の断面図である。
【００２７】
図３に示すように、給気部９の下端の内側（フード内側）には、下端に沿って開口下縁部１３が形成され、本体部１５の周外面１５ａの約３分の１の領域が開口下縁部１３から露出している。図中、本体部１５の３つのスリットのうち１つのスリット１８ａのみが開口下縁部１３から露出しており、残り２つのスリット１８ｂ、１８ｃは給気部９内側に向いている。
【００２８】
本体部１５は、後述するモータ１９に接続されており、モータ１９により矢印Ａの方向に回転駆動される。上記したように、本体部１５の３つのスリットは周方向に等間隔に設けられており、開口下縁部１３からは本体部１５の周外面１５ａの約３分の１が露出するようになっているので、本体部１５がどのような回転位置にあっても、常に１つのスリットが開口下縁部１３から露出するようになっている。
【００２９】
図４は、図１に示す排気フード４の回転ノズル１４の駆動機構を示す図である。
【００３０】
図４に示すように、回転ノズル１４の本体部１５の一方の端部には、プーリ２０が設けられている。プーリ２０には回転ベルト２１が掛けられており、回転ベルト２１はさらに、回転シャフト２２に設けられたプーリ２３にもかかっている。回転シャフト２２の端部には、図示しない電源と接続されたモータ１９が設けられている。このように、プーリ２０及び２３と、回転ベルト２１と、回転シャフト２２とが回転運動の伝達媒体となり、モータ１９の動力を回転ノズル１４に伝達して回転ノズル１４を矢印Ａの方向に回転させるようになっている。
【００３１】
次に、本実施形態の排気フードの動作及び作用効果について説明する。
【００３２】
図１に示すように、厨房１において熱調理器具２を使用する際には、排気フード４を稼動させて厨房１の換気を行う。排気フード４を起動すると、排気ファン８及び外気処理空調機１２が起動する。排気ファン８が起動すると、排気ダクト６を介して厨房１内の空気を吸引する。これにより、厨房１内の空気と、熱調理器具２から上昇する熱気Ｂとが排気フードに吸引され、グリースフィルタ５において塵等が除去された後、排気ダクト６を通って厨房１の外部に排出される。一方、外気処理空調機１２が起動すると、外気が吸引され、吸引された外気は、給気ダクト１１及び４つの給気枝管１０を通って、４つの給気部９内にそれぞれ供給される。各給気部９内に供給された外気は、回転ノズル１４と、開口下端部１６と、開口部１７とから厨房１内に噴き出される。これにより、厨房１内の換気が行われる。
【００３３】
次に、回転ノズル１４、開口下端部１６、開口部１７各々からの外気の噴出について、図３を参照しながら詳細に説明する。
【００３４】
図３において、給気部９に供給された外気の一部は、矢印Ｃで示されるように、開口部１７を介して厨房１に噴き出される。これにより、後述する開口下端部１６及びスリット１８ａ〜１８ｃからの外気の噴出量が抑えられるので、噴き出される外気の面速が抑えられる。また、給気部９に供給された外気の一部は、矢印Ｄで示すように、開口下端部１６を介して真下の方向又は排気フード４内の下側に噴き出される。これにより、給気部９の下端に沿って、熱気Ｂを囲むように外気の層Ｌ１が形成される。外気の層Ｌ１は、熱気Ｂがこの中に入り込んだ場合、ガスシールの役目を果たすことにより、熱気Ｂの拡散を防止し、熱気Ｂをグリースフィルタ５に吸引されやすくする。
【００３５】
給気部９に供給された外気のうち、開口部１７及び開口下端部１６から噴き出されなかった外気は、スリット１８ａ〜１８ｃを介して厨房１内に噴き出される。
【００３６】
次に、スリット１８ａ〜１８ｃからの外気の噴き出しについて説明する。
【００３７】
図３に示すように、スリット１８ａが本体部１５における最下点に位置している時には、給気部９内において、矢印Ｅ及びＦのように、外気がスリット１８ｂ及び１８ｃを介して本体部１５の内部に入り込む。本体部１５に入り込んだ外気は、矢印Ｇ１に示すように、スリット１８ａを介して真下方向に噴き出される。
【００３８】
本体部１５は、モータ１９（図４参照）によって矢印Ａの方向に回転しているので、矢印Ｇ１の方向に噴き出されている外気の向きは、本体部１５の回転に伴い矢印Ｈ１の方向に変化し、やがて矢印Ｇ２の方向に外気が噴き出されるようになる。本体部１５がさらに回転すると、外気の向きがＨ２の方向に変化して、矢印Ｇ３の方向に外気が噴き出されるようになり、本体部１５がさらに回転すると、外気の向きがＨ３の方向に変化して、最終的には矢印Ｇ４の方向に外気が噴き出されるようになる。
【００３９】
その後は、本体部１５のさらなる回転により、スリット１８ａは開口下縁部１３から露出しない状態になるので、スリット１８ａからの外気の噴き出しは終了する。このとき、スリット１８ｃが図３におけるスリット１８ａとほぼ同位置（本体部１５における最下点）に位置するようになるので、スリット１８ｃからの外気の吹き出しが開始することとなる。以降のスリット１８ｃからの外気の噴き出し動作は、上記したスリット１８ａからの外気の噴き出し動作と同様である。本体部１５の回転により、スリット１８ｃが開口下縁部１３から露出しない状態になると、続いてスリット１８ｂが本体部１５におけるほぼ最下点に現れ、スリット１８ａ、１８ｂと同様の外気の噴き出し動作を行うこととなる。その後も、スリット１８ａ、１８ｃ、１８ｂの順序で同様の動作が繰り返されることとなる。
【００４０】
以上のような動作により、開口下端部１６の真下方向において熱気Ｂの横方向の拡散を防ぐための外気の層Ｌ１が形成される一方で、開口下縁部１３の開口付近に熱気Ｂの気流緩和のための外気の層Ｌ２が形成される。
【００４１】
一般に、外気の温度は熱気Ｂの温度に比べて相当低いが、外気の層Ｌ１及びＬ２により排気フード４に見えない空気の壁を設けること、また、Ｌ２については開口下縁部１３の真下から内向きに方向を変化させながら外気を噴出することにより、排気フード４の下面に真下から熱気を集めながら外気の蓋をするようになるので、排気フード４の内部及び下側の領域を均一で高い温度に維持することができる。これにより、熱調理器具２から発生する熱気Ｂの温度と排気フード４の内部及びの領域の温度差を小さくすることができ、熱気Ｂの上昇気流を抑制することができる。この熱気Ｂの上昇気流を抑制することにより、排気フード４に衝突した際に熱気が拡散する面積が小さくなり、その結果、熱気Ｂがグリースフィルタ５に吸引されやすくなり、排気効率が向上する。また、熱気Ｂの上昇速度が緩和されるので、熱気による排気フード４の損耗を低減することができる。
【００４２】
以上、本実施形態の排気フードの構成及び動作について説明した。本実施形態では、回転ノズル１４の本体部１５に３つのスリットを形成する例を示しているが、この構成に限定されるわけではなく、本体部１５や開口下縁部１３の寸法形状、厨房１内の気流状況などに応じて適宜変更することができる。また、開口下縁部１３から１つのスリットのみが露出する形態に限定されるわけではなく、２つ以上のスリットが露出するようにしてもよい。また、本実施形態では、開口部１７をパンチングにより形成した複数の穴としているが、この構成に限定されるわけではなく、例えば複数のノズルなどから構成してもよい。
また、回転ノズル１４の本体部１５には、外気噴出用のスリットに代えて、一列に配置された複数の孔を設けてもよい。
【００４３】
[第２実施形態]
【００４４】
次に、本発明の排気フードの第２実施形態について説明する。
【００４５】
本実施形態の排気フードは、排気フードの給気部における回転ノズルの回転方法に関して第１実施形態とは異なる構成となっているが、その他の部分については第１実施形態の排気フード４と基本的構成を同じとしている。第１実施形態と同一であるものについては、説明を省略する。
【００４６】
図５は、本実施形態の排気フードにおける回転ノズルの駆動機構を示す図である。
【００４７】
図５に示すように、本実施形態では、回転シャフト２２において、給気部９に供給された外気によって回転される風車部材２４が設けられている。風車部材２４は、複数のフィンから構成されている。風車部材２４は、給気部９に供給された外気によって矢印Ｊ方向に回転され、回転ベルト２１及び回転シャフト２２を介して回転ノズル１４が矢印Ａ方向に回転するようになっている。その他の構成については、第１実施形態のものと同様である。
【００４８】
このように、給気部９に供給された外気によって風車部材２４を回転させ、風車部材２４の回転動力によって回転ノズル１４を回転させることにより、回転ノズル１４を回転させるための動力が不要になるので、電動モータを用いる第１実施形態の排気フードに比べてエネルギーの省力化を達成することができる。
【００４９】
[第３実施形態]
【００５０】
次に、本発明の排気フードの第３実施形態について説明する。
【００５１】
本実施形態の排気フードは、排気フードの給気部における回転ノズルの回転方法に関して第１実施形態とは異なる構成となっているが、その他の部分については第１実施形態の排気フード４と基本的構成を同じとしている。第１実施形態と同一であるものについては、説明を省略する。
【００５２】
図６は、本実施形態の排気フードにおける回転ノズルの駆動機構を示す図である。
【００５３】
図６に示すように、本実施形態では、回転ノズル１４の本体部１５の一方の端部において、本体部１５を回転駆動させるための回転モータ２５を設けている。回転モータ２５は、配線２７を介して発電装置２６に電気的に接続されている。発電装置２６には回転シャフト２２が連結されており、回転シャフト２２には、風車部材２４が設けられている。
【００５４】
このように、給気部９に供給された外気によって風車部材２４を回転させ、その回転動力を利用して発電装置２６が電力を発電し、その電力によって回転モータ２５を回転駆動することにより、回転ノズル１４を回転させるための動力が不要になるので、電動モータを用いる第１実施形態の排気フードに比べてエネルギーの省力化を達成することができる。また、発電装置２６に蓄電機能を備えていれば、何らかの不具合で給気風圧が低下した場合にも蓄電を利用して暫くの間、回転ノズル１４を回転駆動させ続けることができる。
【００５５】
以上、本発明の排気フードについて、第１〜第３の実施形態を示して説明したが、本発明はこれらに限定されるものではない。当業者であれば、本発明の要旨を逸脱しない範囲内において、上記各実施形態における排気フードの構成及び機能に様々な変更・改良を加えることが可能である。
【００５６】
例えば、排気フード４は、厨房１の天井３の中央付近に設けているが、この形態に限定されるわけではない。通常、熱調理器具２は、厨房１内で壁に接するように設置されている場合が多い。この場合には、排気フード４を熱調理器具２に対して開口するように配置するためには、排気フードの一側面を壁に厨房１の接するようにして設けてもよい。このとき、壁に接する部分には給気部９を設けないで、３つの給気部９と壁とによって箱型形状のフードを構成してもよい。
【００５７】
一方で、熱調理器具２が厨房１のコーナー部に設けられている場合には、排気フード４を２面の壁に接するようにして天井３に設けることもできる。この場合、２つの給気部９と２面の壁とによって箱型形状のフードを構成してもよい。
【００５８】
また、本発明の排気フードは厨房に設置されるのみならず、家庭の台所や研究所の実験室、工場の作業場など、熱気を外部に排気して換気する必要のあるあらゆる場所に設置されてその効果を発揮することが可能である。
【図面の簡単な説明】
【００５９】
【図１】本発明の排気フードの第１実施形態を示す図である。
【図２】図１に示す排気フードの回転ノズルの構成を示す図である。
【図３】図１に示す排気フードの給気部の断面図である。
【図４】図１に示す排気フードの回転ノズルの駆動機構を示す図である。
【図５】本発明の第２実施形態にかかる排気フードにおける回転ノズルの駆動機構を示す図である。
【図６】本発明の第３実施形態にかかる排気フードにおける回転ノズルの駆動機構を示す図である。
【図７】厨房のレンジ調理器の上方（天井）に設置される従来の排気フードを例示する図である。
【符号の説明】
【００６０】
１  厨房
２  熱調理器具
３  天井
４  排気フード
５  グリースフィルタ
６  排気ダクト
７  天井裏
８  排気ファン
９  給気部
１０  給気枝管
１１  給気ダクト
１２  外気処理空調機
１３  開口下縁部
１４  回転ノズル
１５  本体部
１６  開口下端部
１７  開口部
１８ａ〜１８ｃ  スリット
１９  モータ
２０  プーリ
２１  回転ベルト
２２  回転シャフト
２３  プーリ
２４  風車部材
２５  回転モータ
２６  発電装置
２７  配線
【図１】
2010071492.tif 000003
【図２】
2010071492.tif 000004
【図３】
2010071492.tif 000005
【図４】
2010071492.tif 000006
【図５】
2010071492.tif 000007
【図６】
2010071492.tif 000008
【図７】
2010071492.tif 000009
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
室内に設けられた熱気発生源に対して開口するように設けられる排気フードであって、
前記熱気発生源の上方に配置され、前記室内の空気を吸引し室外に排出する略箱型又は略筒型の排気部と、
前記排気部の周りを包囲するように配置され、室外から供給される外気を前記室内に供給する給気部とを有しており、
前記給気部は、その下端近傍において、外気の噴出方向を、前記給気部の真下方向からフード内側方向に連続的に変化させながら外気を噴出する第１の外気噴出手段を有しており、
前記給気部は、その下端近傍で、かつ、前記給気部の第１の外気噴出手段よりもフード外側方向に離隔した位置において、外気を略真下方向又はフード内側方向に噴出する第２の外気噴出手段を有していることを特徴とする排気フード。
【請求項２】
前記給気部の下端近傍のフード内側に面する部分に長尺状の開口部を有しており、
前記第１の外気噴出手段は、略円筒形状の本体部と、前記本体部の軸方向に沿って形成された１又は２以上のスリットとからなる回転ノズルであり、
前記第１の外気噴出手段は、その軸が前記開口部の長尺方向に沿うようにして、その一部が前記開口部から給気部外に露出するようにして配置されており、
前記回転ノズルである第１の外気噴出手段が回転しながら外気を噴出することにより、前記開口部を通じて一部のスリットから給気部外に外気が噴射されるようになっていることを特徴とする請求項１に記載の排気フード。
【請求項３】
前記給気部に供給された外気の気流によって回転される風車部材を有しており、当該風車部材の回転動力により前記回転ノズルを回転駆動可能であることを特徴とする請求項２に記載の排気フード。
【請求項４】
前記風車部材の回転動力により発電を行う発電装置を有しており、当該発電装置により発電した電力を用いて前記回転ノズルを回転駆動可能であることを特徴とする請求項３に記載の排気フード。
【請求項５】
室内に設けられた熱気発生源から発生する熱気を排気する方法であって、
前記熱気発生源の上方に配置され、前記室内の空気を吸引し室外に排出する略箱型又は略筒型の排気部と、
前記排気部の周りを包囲するように配置され、室外から供給される外気を前記室内に供給する給気部とを配置し、
前記給気部は、第１の外気噴出手段と、当該第１の外気噴出手段よりもフード外側方向に離隔して配置された第２の外気噴出手段とを有しており
前記排気部により、前記排気部の下方の熱気を吸引し排気するとともに、
前記給気部が有する第１の外気噴出手段により、前記給気部の下端近傍から、前記給気部の真下方向からフード内側方向に連続的に噴出方向を変化させながら外気を噴出し、
前記給気部が有する第２の外気噴出手段により、前記給気部の下端近傍から、外気を略真下方向又はフード内側方向に噴出することにより、室内外の空気を排気する排気方法。